(57)【特許請求の範囲】
【請求項１】
所要数のパネルを屈曲自在に連結して構成されたシャッタカーテンと、シャフト両端部に設けられ、バランススプリングにより巻取り方向に付勢された巻取りドラムと、該巻取りドラムに巻設され下端が前記シャッタカーテンの最下段のパネルの側端面下端に設けられた係着ピンに係着されたワイヤと、前記最下段のパネルの両側端面に設けられたワイヤ緩み防止装置とを具備し、該ワイヤ緩み防止装置は、前記係着ピンの上側に設けられたシャフトと、該シャフトを中心に回転自在に設けられた回転板と、該回転板に突設された２本のピンと、前記シャフトを回転中心として前記回転板を回転させる方向に付勢する様設けられたスプリングとを有し、前記２本のピンのうち前記係着ピンに隣接するピンは前記シャフトと同心であり、前記ワイヤは前記２本のピンにＳ字状に掛回され、前記ワイヤの緩みに応じて前記スプリングが前記回転板を回転させ、前記ワイヤの緩みを吸収することを特徴とするオーバヘッドドア。
【請求項２】
前記回転板は、前記スプリングにより前記ワイヤを巻取る方向に付勢され、該スプリングの付勢力は前記シャッタカーテンが正常に降下している状態で、前記ワイヤを巻取らない程度の強さである請求項１のオーバヘッドドア。
【請求項３】
前記シャッタカーテンが完全に降下した状態では、前記ワイヤのテンションは弱まることなく、前記回転板が反巻取り方向に回転された状態が維持される請求項２のオーバヘッドドア。
【発明の詳細な説明】
【技術分野】
【０００１】
本発明は、所要数のパネルを屈曲自在に連結して構成されたシャッタカーテンにより、建屋等の構築構造物の出入口等の開口部を開閉するオーバヘッドドアに関するものである。
【背景技術】
【０００２】
建屋等の構築構造物の出入口等の開口部を開閉する開閉手段としてシャッタ装置があり、又シャッタ装置の１つとして、オーバヘッドドアがあり、該オーバヘッドドアでは、シャッタカーテンが所要数のパネルを屈曲自在に連結して構成され、該シャッタカーテンをガイドレールに沿って昇降させ、開口時にはシャッタカーテンは天井面に沿って格納される。
【０００３】
又、オーバヘッドドアでは、シャッタカーテンの自重をバランススプリングの上方への付勢力によってバランスさせ、シャッタカーテン開閉時の開閉装置の負担を軽減している。
【０００４】
オーバヘッドドアは、巻取りドラムに巻設されたワイヤを介してチェーン或はホイスト開閉機等により開閉されるが、開閉操作時、特に閉操作時にパネルが降下せず、巻取りドラムからワイヤのみが繰出され、ワイヤのテンションが緩み、ワイヤがドラムから外れることがある。
【０００５】
上記の問題を解決する手段として、従来では巻取りドラムの近傍にワイヤテンショナを設け、ワイヤが緩んだ際にワイヤテンショナが作動することでワイヤのテンションを保っていた。
【０００６】
図８に於いて、従来のワイヤテンション保持手段であるワイヤテンショナについて説明する。
【０００７】
開口部（図示せず）の上方には、水平な巻取りドラムシャフト１が回転自在に設けられ、該巻取りドラムシャフト１の両端部に固着された巻取りドラム２にワイヤ３が巻設され、前記巻取りドラム２から前記ワイヤ３が繰出され、該ワイヤ３がシャッタカーテン（図示せず）の最下段のパネル（図示せず）に係着されている。
【０００８】
又、前記巻取りドラム２の内側にはワイヤテンショナ４が設けられ、該ワイヤテンショナ４は断面コ字状でボルト等の固着具５により躯体６に取付けられると共に前記巻取りドラムシャフト１が貫通するブラケット７と、該ブラケット７を水平方向に回転自在に貫通するシャフト８と、該シャフト８に嵌設されたスプリング９と、前記シャフト８の端部に固着され一体に回転するＬ字状のアーム１１と、該アーム１１の水平部に回転自在に設けられたローラ１２を有している。前記スプリング９は、前記アーム１１に対して前記ワイヤ３を前記巻取りドラム２に巻付ける方向、例えば屋内側に回転する様付勢する。
【０００９】
前記ローラ１２は前記ワイヤ３よりも屋外側に位置し、何らかの理由で該ワイヤ３が緩んだ際には、前記シャフト８を介して前記アーム１１が回転し、前記ローラ１２が前記ワイヤ３を屋内側に引上げることで該ワイヤ３のテンションを保つ様になっている。尚、前記アーム１１は、前記シャフト８が回転した際に前記巻取りドラムシャフト１と干渉しない様前記躯体６側に湾曲した形状となっている。
【００１０】
然し乍ら、前記ワイヤテンショナ４を設ける場合、前記ブラケット７を前記躯体６に固定する必要がある為、前記ブラケット７を固定する為の下地を前記躯体６に新たに設ける必要があり高所作業となる。更に、前記ワイヤテンショナ４自体も大掛りな装置であるのでコストがかかりスペースも取るという問題があった。
【先行技術文献】
【特許文献】
【００１１】
【特許文献１】特開２００５−２８２１２６号公報
【発明の概要】
【発明が解決しようとする課題】
【００１２】
本発明は斯かる実情に鑑み、ワイヤ緩みが発生した際でもワイヤテンションを保ち、ドラムからワイヤが外れるのを防止すると共に、省スペース化、省コスト化を図るオーバヘッドドアを提供するものである。
【課題を解決するための手段】
【００１３】
本発明は、所要数のパネルを屈曲自在に連結して構成されたシャッタカーテンと、シャフト両端部に設けられ、バランススプリングにより巻取り方向に付勢された巻取りドラムと、該巻取りドラムに巻設され下端が前記シャッタカーテンの最下段のパネルに係着されたワイヤとを具備し、前記最下段のパネルの両側端面にワイヤ緩み防止装置を設け、該ワイヤ緩み防止装置によって前記ワイヤの緩みを吸収するオーバヘッドドアに係るものである。
【００１４】
又本発明は、前記ワイヤ緩み防止装置は、前記側端面に回転自在に設けられた回転板と、該回転板に突設された２本のピンと、前記回転板の前記２本のピンの間に設けられたシャフトと、前記回転板を回転させる方向に付勢する様設けられたスプリングとを有し、前記ワイヤは前記２本のピンにＳ字状に掛回され、前記スプリングは前記ワイヤの緩みに応じて前記回転板を回転させるオーバヘッドドアに係るものである。
【００１５】
又本発明は、前記ワイヤ緩み防止装置は、前記側端面に回転自在に設けられた回転板と、該回転板に突設された少なくとも１本のピンと、前記回転板を回転させる方向に付勢する様設けられたスプリングとを有し、前記ワイヤは前記ピンを掛回して前記パネルの側端面に係着され、前記ワイヤの緩みに応じて前記回転板が回転されるオーバヘッドドアに係るものである。
【００１６】
更に又本発明は、前記ワイヤ緩み防止装置は、前記最下段のパネルの側端面に設けられた上下方向に移動自在な係着ピンと、該係着ピンを下方に付勢するスプリングとを有し、前記係着ピンに前記ワイヤが係着されたオーバヘッドドアに係るものである。
【発明の効果】
【００１７】
本発明によれば、所要数のパネルを屈曲自在に連結して構成されたシャッタカーテンと、シャフト両端部に設けられ、バランススプリングにより巻取り方向に付勢された巻取りドラムと、該巻取りドラムに巻設され下端が前記シャッタカーテンの最下段のパネルに係着されたワイヤとを具備し、前記最下段のパネルの両側端面にワイヤ緩み防止装置を設け、該ワイヤ緩み防止装置によって前記ワイヤの緩みを吸収するので、該ワイヤが緩んだ際に前記巻取りドラムから外れ、前記シャッタカーテンが開閉不能になるのを防止することができ、更に前記ワイヤ緩み防止装置は簡易な構成であり、省スペース化を図ることができる。
【００１８】
又本発明によれば、前記ワイヤ緩み防止装置は、前記側端面に回転自在に設けられた回転板と、該回転板に突設された２本のピンと、前記回転板の前記２本のピンの間に設けられたシャフトと、前記回転板を回転させる方向に付勢する様設けられたスプリングとを有し、前記ワイヤは前記２本のピンにＳ字状に掛回され、前記スプリングは前記ワイヤの緩みに応じて前記回転板を回転させるので、前記ワイヤ緩み防止装置を設ける際に最下段のパネル以外に工事をする必要がなく、労力及びコストの軽減を図れると共に、既存のオーバヘッドドアに対しても容易に適用可能である。
【００１９】
又本発明によれば、前記ワイヤ緩み防止装置は、前記側端面に回転自在に設けられた回転板と、該回転板に突設された少なくとも１本のピンと、前記回転板を回転させる方向に付勢する様設けられたスプリングとを有し、前記ワイヤは前記ピンを掛回して前記パネルの側端面に係着され、前記ワイヤの緩みに応じて前記回転板が回転されるので、前記ワイヤ緩み防止装置を設ける際に最下段のパネル以外に工事をする必要がなく、労力及びコストの軽減を図れると共に、既存のオーバヘッドドアに対しても容易に適用可能であり、更に前記ワイヤの緩みの吸収量を増加させる為の大型化を容易に行うことができる。
【００２０】
更に又本発明によれば、前記ワイヤ緩み防止装置は、前記最下段のパネルの側端面に設けられた上下方向に移動自在な係着ピンと、該係着ピンを下方に付勢するスプリングとを有し、前記係着ピンに前記ワイヤが係着されたので、前記ワイヤ緩み防止装置を設ける際に最下段のパネル以外に工事をする必要がなく、簡易な構成であるので労力の低減及びコストの削減を図ることができるという優れた効果を発揮する。
【図面の簡単な説明】
【００２１】
【図１】本発明が実施されるオーバヘッドドアの概略斜視図である。
【図２】同前立断面図である。
【図３】本発明の第１の実施例に於けるワイヤ緩み防止機構の正面図であり、（Ａ）は通常時、（Ｂ）はワイヤ緩み防止機構の作動時を示している。
【図４】本発明の第１の実施例に於けるワイヤ緩み防止機構の側面図であり、（Ａ）は通常時、（Ｂ）はワイヤ緩み防止機構の作動時を示している。
【図５】本発明の第２の実施例に於けるワイヤ緩み防止機構の正面図であり、（Ａ）は通常時、（Ｂ）はワイヤ緩み防止機構の作動時を示している。
【図６】本発明の第２の実施例に於けるワイヤ緩み防止機構の側面図であり、（Ａ）は通常時、（Ｂ）はワイヤ緩み防止機構の作動時を示している。
【図７】本発明に於けるワイヤ緩み防止機構の変形例を示す正面図であり、（Ａ）は通常時、（Ｂ）はワイヤ緩み防止機構の作動時を示している。
【図８】従来のワイヤテンショナを示す要部拡大正面図である。
【発明を実施するための形態】
【００２２】
以下、図面を参照しつつ本発明の実施例を説明する。
【００２３】
先ず図１、図２に於いて、本発明の実施例に係るオーバヘッドドアについて説明する。尚、図８中で示したものと同等のものには同符号を付してある。
【００２４】
建屋等の躯体６の開口部１３の両側柱１４に沿って、垂直ガイドレール１５が設けられ、天井に沿って水平ガイドレール１６が設けられ、前記垂直ガイドレール１５と前記水平ガイドレール１６とは湾曲レール１７によって連結されている。前記垂直ガイドレール１５の上方には水平な巻取りドラムシャフト１等が設けられている。
【００２５】
シャッタカーテン１８は所要数のパネル１９が屈曲自在に連結されて構成され、各パネル１９の両端にはガイドローラ２１が支軸（図示せず）を介して回転自在に設けられている。
【００２６】
該ガイドローラ２１は、前記垂直ガイドレール１５、前記湾曲レール１７、前記水平ガイドレール１６に転動自在に嵌合し、前記シャッタカーテン１８は前記垂直ガイドレール１５、前記湾曲レール１７、前記水平ガイドレール１６に沿ってスライド可能となっている。
【００２７】
前記巻取りドラムシャフト１はブラケット２２を介し前記躯体６側（図示では側柱１４）に回転自在に設けられている。前記巻取りドラムシャフト１の両端部には巻取りドラム２が設けられ、該巻取りドラム２に巻付けられたワイヤ３が前記シャッタカーテン１８の最下段のパネル１９の係着ピン２３に係着されている。又、前記巻取りドラムシャフト１にはバランススプリング２４が設けられ、該バランススプリング２４は前記ワイヤ３を介して前記シャッタカーテン１８を上昇方向に付勢している。
【００２８】
前記開口部１３が開かれる場合は、前記巻取りドラムシャフト１を介し前記巻取りドラム２が回転されることで前記ワイヤ３が巻取られ、前記シャッタカーテン１８が前記垂直ガイドレール１５に沿って引上げられ、更に前記水平ガイドレール１６に格納される様になっている。
【００２９】
又、前記開口部１３が閉じられる場合は、前記巻取りドラムシャフト１を介して前記巻取りドラム２が逆方向に回転され、前記ワイヤ３が繰出されて前記シャッタカーテン１８が自重により降下し、前記開口部１３が閉じられる。
【００３０】
本実施例では、最下段の前記パネル１９の両側端面にワイヤ緩み防止機構を設け、前記ワイヤ３が緩んだ場合でも緩みを吸収し、該ワイヤ３のテンションを保つ様構成されている。
【００３１】
図３（Ａ）（Ｂ）、図４（Ａ）（Ｂ）に於いて、本発明の第１の実施例について説明する。又、図３（Ａ）（Ｂ）、図４（Ａ）（Ｂ）はそれぞれ最下段のパネル１９の端部を拡大して示している。尚、図３（Ａ）（Ｂ）中、紙面に対して左方向を屋外側、紙面に対して右方向を屋内側としている。
【００３２】
前記ワイヤ３の下端は屈曲されて折返され、該ワイヤ３と屈曲部とをスリーブ等のワイヤ束ね部材２５で束ねることでリング状の係着部２６が形成され、該係着部２６を前記係着ピン２３に引っ掛けることで、前記ワイヤ３が前記最下段のパネル１９に係着される様になっている。
【００３３】
又、該パネル１９の下端には防水用の水切シール２０が設けられると共に、端面の前記係着ピン２３の上方にはワイヤ緩み防止装置２７が設けられている。該ワイヤ緩み防止装置２７は台座部２８、シャフト２９、捩りスプリング３１、回転板３２、上掛止めピン３３及び下掛止めピン３４により構成されている。
【００３４】
前記台座部２８は金属等により成型された板状の部材であり、前記最下段のパネル１９の側端面にネジ等の固着具３７により上下２箇所を固着されている。前記台座部２８の上下方向中央には前記シャフト２９が立設固着され、該シャフト２９に前記回転板３２が回転自在に設けられている。
【００３５】
又、前記シャフト２９の周囲には前記捩りスプリング３１が嵌設され、該捩りスプリング３１の両端はそれぞれ前記回転板３２と前記台座部２８に係止され、前記回転板３２は前記捩りスプリング３１により図３中時計回り方向に付勢されている。
【００３６】
前記回転板３２の長手方向端部には、それぞれ円柱形状の前記上掛止めピン３３と前記下掛止めピン３４が突設され、前記上掛止めピン３３と前記下掛止めピン３４の先端には、それぞれ上掛止めピンフランジ３８と下掛止めピンフランジ３９が形成されており、前記上掛止めピン３３は前記上掛止めピンフランジ３８と前記回転板３２との間に回転可能な上ローラ３５を有し、前記下掛止めピン３４は前記下掛止めピンフランジ３９と前記回転板３２との間に回転可能な下ローラ３６を有している。
【００３７】
前記ワイヤ３は前記上ローラ３５の屋内側と接触し、更に前記下ローラ３６の屋外側と接触する様Ｓ字状に掛回されて前記係着ピン２３に係着されており、前記ワイヤ緩み防止装置２７は前記回転板３２が時計回り方向に付勢されていることから、前記ワイヤ３が緩んだ場合は前記シャフト２９を中心に前記回転板３２が回転し、前記上掛止めピン３３及び下掛止めピン３４により前記ワイヤ３を巻取る様になっている。又、前記上掛止めピンフランジ３８と前記下掛止めピンフランジ３９によって前記ワイヤ３が前記上掛止めピン３３及び前記下掛止めピン３４から外れない様になっている。
【００３８】
尚、前記捩りスプリング３１の付勢力は、前記シャッタカーテン１８が正常に降下している状態で、前記バランススプリング２４によるテンションが最小になった場合でも、前記ワイヤ３を巻取らない程度の強さとしている。
【００３９】
前記シャッタカーテン１８の開閉動作、例えば閉動作時に於いて、前記パネル１９の大部分が前記水平ガイドレール１６に格納された状態では、前記ワイヤ３も大部分が前記巻取りドラム２に巻取られ、前記バランススプリング２４の撓み量も少なくなって前記ワイヤ３に作用するテンションも小さくなる。前記ワイヤ３のテンションが小さい場合には、図３（Ａ）に示される様に、前記捩りスプリング３１の付勢力によって前記ワイヤ緩み防止装置２７が前記ワイヤ３を僅かに撓ませた状態となる。
【００４０】
前記シャッタカーテン１８が降下されるにつれて、前記パネル１９の自重が増大すると共に、前記バランススプリング２４の撓み量も増大して前記ワイヤ３のテンションが増加する。尚、前記バランススプリング２４による付勢力に対し、前記パネル１９の自重が大きくなる様設定され、又前記バランススプリング２４の付勢力と前記パネル１９の自重との差は変動しない様になっている。前記シャッタカーテン１８が完全に降下される直前、即ち前記ワイヤ３のテンションが最大となっている時には、前記巻取りドラム２と前記係着ピン２３との間の前記ワイヤ３は直線状となり、前記回転板３２は垂直の状態から若干反時計回り方向に回転された状態となる。
【００４１】
又、前記シャッタカーテン１８が完全に降下し、前記水切シール２０が地面と接触した際には、前記バランススプリング２４の付勢力と前記パネル１９の総重量の差分が地面に荷重としてかかり、該パネル１９には前記バランススプリング２４の付勢力が作用しているので、前記ワイヤ３のテンションは弱まることなく、前記回転板３２が反時計回りに回転された状態が維持される。
【００４２】
上記工程に於いて、前記パネル１９と前記水平ガイドレール１６との摩擦により、或は前記パネル１９が前記垂直ガイドレール１５に接触する等の理由により、前記シャッタカーテン１８が前記巻取りドラム２の前記ワイヤ３の繰出しと連動して降下しない場合には、前記シャッタカーテン１８の降下量に対して前記ワイヤ３の繰出しが多くなる。
【００４３】
この時、前記シャッタカーテン１８の降下量以上に前記ワイヤ３が繰出されることで前記ワイヤ３が緩み、テンションは前記捩りスプリング３１の付勢力よりも弱くなるので、前記ワイヤ緩み防止装置２７が作動し、図３（Ｂ）に示される様に、前記ワイヤ３に接触している前記上ローラ３５及び前記下ローラ３６が回転しながら前記回転板３２が時計回り方向に回転することで、前記上掛止めピン３３及び前記下掛止めピン３４に前記ワイヤ３が巻取られ、前記巻取りドラム２と前記上掛止めピン３３との間で前記ワイヤ３にテンションが発生し、該ワイヤ３が緩むことなくテンションが保たれる。
【００４４】
尚、前記上掛止めピン３３及び前記下掛止めピン３４は、前記上ローラ３５及び前記下ローラ３６を介して前記ワイヤ３と接触しているので、該ワイヤ３を巻取る過程で前記上ローラ３５及び前記下ローラ３６が回転し、前記上掛止めピン３３及び前記下掛止めピン３４と前記ワイヤ３との間で摩擦が発生せず、前記捩りスプリング３１による付勢力が減少されることなく前記ワイヤ３に伝えられ、又前記上掛止めピン３３及び前記下掛止めピン３４と前記ワイヤ３間の擦れによる摩耗が防止される。
【００４５】
又、前記ワイヤ緩み防止装置２７は前記ワイヤ３の緩みを３００ｍｍ〜４００ｍｍ程度吸収可能であるが、前記回転板３２の長手方向の長さを長くする、或は前記ワイヤ緩み防止装置２７を複数個設ける等を行うことにより、前記ワイヤ３の緩みを更に多く吸収することができる。
【００４６】
上述の様に、前記ワイヤ緩み防止装置２７を最下段のパネル１９の両端面に設け、前記ワイヤ３のテンションが弱まった際には前記ワイヤ緩み防止装置２７が前記ワイヤ３を巻取り、該ワイヤ３のテンションを保つ様にしたので、何らかの理由により前記シャッタカーテン１８が降下せず、前記巻取りドラム２から繰出される前記ワイヤ３のテンションが緩み、該ワイヤ３が前記巻取りドラム２から外れ、前記シャッタカーテン１８が開閉不能になるのを防止することができる。
【００４７】
又、前記ワイヤ緩み防止装置２７は前記最下段のパネル１９の側端面に設けられるので、前記ワイヤ緩み防止装置２７を前記躯体６に設置する為に該躯体６に下地を新たに設ける必要がなく、更に地上での作業となり、労力の軽減が図れると共に、既存のオーバヘッドドアに対しても容易に適用可能である。
【００４８】
又、前記ワイヤ緩み防止装置２７は従来のワイヤテンション保持手段であるワイヤテンショナよりも小型且つ簡易な構造である為、省スペース化及び製造に於ける省コスト化を図ることができる。
【００４９】
次に、図５（Ａ）（Ｂ）、図６（Ａ）（Ｂ）に於いて、本発明の第２の実施例について説明する。又、図５（Ａ）（Ｂ）、図６（Ａ）（Ｂ）はそれぞれ最下段のパネル１９の端部を拡大して示している。尚、図５（Ａ）（Ｂ）、図６（Ａ）（Ｂ）中、図３（Ａ）（Ｂ）、図４（Ａ）（Ｂ）中と同等のものには同符号を付し、その説明を省略する。又、図５（Ａ）（Ｂ）中では、第１の実施例と同様、紙面に対して左方向を屋外側、紙面に対して右方向を屋内側としている。
【００５０】
第２の実施例に於けるワイヤ緩み防止装置４１も、第１の実施例のワイヤ緩み防止装置２７と同様、最下段パネル１９の両側端面の係着ピン２３の上方に設けられる。
【００５１】
前記ワイヤ緩み防止装置４１は、前記最下段のパネル１９の側端面にネジ等の固着具４２により固着された台座部４３と、該台座部４３に立設固着されたシャフト４４と、該シャフト４４に長手方向裏面の端部が回転自在に取付けられた回転板４５と、前記シャフト４４の周囲に嵌設され前記回転板４５を時計回り方向に付勢する捩りスプリング４６と、前記回転板４５の長手方向の両端部表面にそれぞれ突設された円柱形状の上掛止めピン４７及び下掛止めピン４８とで構成されている。
【００５２】
前記上掛止めピン４７及び前記下掛止めピン４８は、それぞれ先端に上掛止めピンフランジ４９及び下掛止めピンフランジ５１が形成され、前記上掛止めピンフランジ４９と前記回転板４５及び前記下掛止めピンフランジ５１と前記回転板４５との間にそれぞれ上ローラ５２及び下ローラ５３を有している。尚、前記下掛止めピン４８は前記シャフト４４と同心であり、前記回転板４５は前記下掛止めピン４８を回転中心として回転する様になっている。
【００５３】
シャッタカーテン１８の閉操作時に於いて、前記ワイヤ３が巻取られて前記パネル１９の大部分が水平ガイドレール１６に格納された状態では、バランススプリング２４（図１参照）の付勢力が小さく、ワイヤ３のテンションも弱くなり、図５（Ａ）に示される様に、前記ワイヤ緩み防止装置４１が前記ワイヤ３を僅かに撓ませた状態となる。
【００５４】
前記シャッタカーテン１８が降下すると、前記バランススプリング２４の付勢力の増加と前記パネル１９の自重の増加により前記ワイヤ３のテンションが増加する。該テンションが前記捩りスプリング４６の付勢力を上回ることで、前記回転板４５が反時計回りに若干傾いた状態となる。前記シャッタカーテン１８の降下が完了し、水切シール２０が地面と接触した後も、前記パネル１９に前記バランススプリング２４の付勢力が作用し、前記ワイヤ３のテンションが維持されることで前記回転板４５の状態は変化しない。
【００５５】
上記工程に於いて、何らかの理由により前記シャッタカーテン１８が降下せず、巻取りドラム２（図２参照）から前記ワイヤ３が繰出された場合には、該ワイヤ３のテンションが緩み、該テンションが前記捩りスプリング４６の付勢力よりも弱くなるので、前記ワイヤ緩み防止装置４１が作動する。該ワイヤ緩み防止装置４１が作動すると、図５（Ｂ）に示される様に、前記下掛止めピン４８を中心に前記下ローラ５３が回転しながら前記回転板４５が時計回り方向に回転することで、前記上掛止めピン４７に前記ワイヤ３が巻取られ、前記巻取りドラム２と前記上掛止めピン４７との間で前記ワイヤ３にテンションが発生し、該ワイヤ３が緩むことなくテンションが保たれ、該ワイヤ３が前記巻取りドラム２から外れるのを防止することができる。
【００５６】
尚、第２の実施例では、前記上掛止めピン４７及び前記下掛止めピン４８にそれぞれ上ローラ５２及び前記下ローラ５３を設けているが、前記下掛止めピン４８は前記シャフト４４と同心であり、前記下掛止めピン４８と前記ワイヤ３との間に発生する摩擦は僅かであるので、前記下ローラ５３を省略してもよい。
【００５７】
又、前記回転板４５は前記下掛止めピン４８と同心に設けられた前記シャフト４４を中心に屋内側に回転されるので、前記ワイヤ緩み防止装置４１が作動した際に前記回転板４５が躯体６（図２参照）に衝突することがない。又、前記ワイヤ３の吸収量を増加させる為の前記回転板４５の大型化も可能である。
【００５８】
又、第２の実施例の場合も、第１の実施例と同様、設ける前記ワイヤ緩み防止装置４１の数を増加させることで前記ワイヤ３の緩みの吸収量を増加させることができる。
【００５９】
更に、前記下掛止めピン４８を省略し、前記ワイヤ３を前記上掛止めピン４７の屋内側から掛回して前記ワイヤ３を前記係着ピン２３に係着させた場合でも、前記ワイヤ緩み防止装置４１によって前記ワイヤ３の緩みを吸収することができる。
【００６０】
尚、第１の実施例及び第２の実施例のワイヤ緩み防止装置では、捩りスプリングによって回転板を回転させ、上掛止めピン及び下掛止めピンでワイヤを巻取ることでワイヤの緩みを吸収しているが、ワイヤが緩んだ際にワイヤのテンションを保てれば他の構造であってもよく、図７（Ａ）（Ｂ）にその変形例を示す。
【００６１】
変形例に於けるワイヤ緩み防止装置５４は、最下段のパネル１９両端の側端面に設けられ係着部２６を介してワイヤ３と係着される係着ピン２３と、該係着ピン２３が貫通すると共に該係着ピン２３を上下方向に移動自在とする様前記最下段のパネル１９の側端面に穿設された長孔５５と、該長孔５５の下方に突設された係止ピン５６と、前記係着ピン２３と前記係止ピン５６に接続され、前記係着ピン２３を下方に付勢するコイルスプリング５７とで構成されている。
【００６２】
上記変形例の場合、前記係着ピン２３を介して前記コイルスプリング５７によって前記ワイヤ３が常時下方に付勢されており、何らかの理由によりシャッタカーテン１８が降下せず、前記ワイヤ３が緩んだ場合には、前記係着ピン２３が前記長孔５５を介して下方に移動する様になっている。
【００６３】
従って、前記ワイヤ３が緩んだ場合であっても該ワイヤ３のテンションを保つことができるので、該ワイヤ３が緩むことにより前記巻取りドラム２から外れるのを防止することができ、更に該変形例は簡易な構成であり、低コストでの実施が可能である。
【符号の説明】
【００６４】
１              巻取りドラムシャフト
２              巻取りドラム
３              ワイヤ
１８            シャッタカーテン
１９            パネル
２３            係着ピン
２７            ワイヤ緩み防止装置
２９            シャフト
３１            捩りスプリング
３２            回転板
３３            上掛止めピン
３４            下掛止めピン
４１            ワイヤ緩み防止装置
４４            シャフト
４５            回転板
４６            捩りスプリング
４７            上掛止めピン
４８            下掛止めピン
５４            ワイヤ緩み防止装置
５５            長孔
５７            コイルスプリング
【図１】
0005693165.tif 000002
【図２】
0005693165.tif 000003
【図３】
0005693165.tif 000004
【図４】
0005693165.tif 000005
【図５】
0005693165.tif 000006
【図６】
0005693165.tif 000007
【図７】
0005693165.tif 000008
【図８】
0005693165.tif 000009